(57)【要約】  隣り合うＲＷ装置の通信エリアが一部重なるように、複数台のＲＷ装置を設置する場合、隣り合うＲＷ装置の偏波を直交させるとともに、移動に伴ってタグが偏波の方向を切り替えるようにする。これにより、通信エリアを拡大しても、信号の混信を防止することができる。【特許請求の範囲】
【請求項１】
情報を保持しているタグと、上記タグと無線通信を実施して、上記タグに保持されている情報の読み書きを行うリーダーライター装置とを備えた無線タグ通信システムにおいて、隣り合うリーダーライター装置の通信エリアが一部重なるように、複数台のリーダーライター装置を設置する場合、隣り合うリーダーライター装置の偏波を直交させるとともに、移動に伴って上記タグが偏波の方向を切り替えることを特徴とする無線タグ通信システム。
【請求項２】
タグが貼り付けられている物品を一次元的に移動する台座が設けられ、上記台座が物品を移動する方向に沿って複数台のリーダーライター装置が一次元的に並べられていることを特徴とする請求項１記載の無線タグ通信システム。
【請求項３】
複数台のリーダーライター装置が一次元的に複数列並べられている場合、隣り合う列で向い合うリーダーライター装置の偏波を直交させていることを特徴とする請求項１記載の無線タグ通信システム。
【請求項４】
タグが貼り付けられている物品を一次元的に移動する台座が複数列設けられ、上記台座が物品を移動する方向に沿って複数台のリーダーライター装置が一次元的に複数列並べられていることを特徴とする請求項３記載の無線タグ通信システム。
【請求項５】
複数台のリーダーライター装置が二次元的に配列されている場合、隣り合うリーダーライター装置の偏波を直交させていることを特徴とする請求項１記載の無線タグ通信システム。
【請求項６】
タグは、通信中のリーダーライター装置から切替要求信号を受信すると、偏波の方向を切り替えることを特徴とする請求項１記載の無線タグ通信システム。
【請求項７】
情報を保持しているタグと、上記タグと無線通信を実施して、上記タグに保持されている情報の読み書きを行うリーダーライター装置とを備えた無線タグ通信システムにおいて、隣り合うリーダーライター装置の通信エリアが一部重なるように、複数台のリーダーライター装置を設置する場合、隣り合うリーダーライター装置の偏波を直交させるとともに、上記タグが直交している２つの偏波を同時に処理する機能を搭載していることを特徴とする無線タグ通信システム。
【発明の詳細な説明】
【技術分野】
【０００１】
この発明は、タグとリーダーライター装置（以下、ＲＷ装置という）が無線通信を実施する無線タグ通信システムに関するものである。
【背景技術】
【０００２】
無線タグ通信システムは、タグとＲＷ装置が無線通信を実施するものであるが、タグは、ダイポールアンテナＡとダイポールアンテナＢを実装しており、タグのＩＣが９０°の位相差をつけてダイポールアンテナＡ，Ｂから円偏波を発生させるようにしている（例えば、特許文献１を参照）。【０００３】
また、タグは、内部に電源を有していないので、ダイポールアンテナＡ，ＢがＲＷ装置から送信された高周波信号を受信すると、その高周波信号を整流して電力を蓄積し、その電力を用いてＲＷ装置と無線通信を実施する。
そのため、タグとＲＷ装置の通信エリアが数ｍ程度に限られるという特徴を有している。【０００４】
したがって、数ｍ以上の通信エリアが必要な場合には、複数台のＲＷ装置を配置する必要がある。
また、数ｍ以上の通信エリア内に存在する全てのタグを認識できるようにするには、その通信エリアが切れ間なく連続している必要がある。
この場合、複数台のＲＷ装置の通信エリアの一部をオーバーラップさせる必要がある。【０００５】
【特許文献１】特開２００３−２４９８７１号公報（第１２頁から第１３頁、図２）
【０００６】
従来の無線タグ通信システムは以上のように構成されているので、例えば、ＲＷ装置ＡとＲＷ装置Ｂの通信エリアがオーバーラップしている場合、そのオーバーラップしているエリア内では、タグがＲＷ装置Ａ及びＲＷ装置Ｂの双方と無線通信を実施することが可能になる。しかし、タグがＲＷ装置Ａと無線通信を実施しているとき、ＲＷ装置Ｂが信号を送信すると、その信号がＲＷ装置Ａから送信される信号と混信し、タグとＲＷ装置Ａ間の無線通信が妨害されることがある課題があった。【０００７】
この発明は上記のような課題を解決するためになされたもので、通信エリアを拡大しても、信号の混信を防止することができる無線タグ通信システムを得ることを目的とする。
【発明の開示】
【０００８】
この発明に係る無線タグ通信システムは、隣り合うリーダーライター装置の通信エリアが一部重なるように、複数台のリーダーライター装置を設置する場合、隣り合うリーダーライター装置の偏波を直交させるとともに、移動に伴ってタグが偏波の方向を切り替えるようにしたものである。
【０００９】
このことによって、通信エリアを拡大しても、信号の混信を防止することができるなどの効果がある。
【図面の簡単な説明】
【００１０】
【図１】この発明の実施の形態１による無線タグ通信システムを示す構成図である。
【図２】この発明の実施の形態１による無線タグ通信システムのタグを示す構成図である。
【図３】この発明の実施の形態２による無線タグ通信システムを示す構成図である。
【図４】この発明の実施の形態３による無線タグ通信システムを示す構成図である。
【図５】この発明の実施の形態４による無線タグ通信システムのタグを示す構成図である。
【発明を実施するための最良の形態】
【００１１】
以下、この発明をより詳細に説明するために、この発明を実施するための最良の形態について、添付の図面に従って説明する。
実施の形態１．
図１はこの発明の実施の形態１による無線タグ通信システムを示す構成図である。【００１２】
図において、台座１は例えば製造ライン上に設置され、タグ６〜９が貼り付けられている物品２〜５を一次元的に移動する。図１の例では、右方向に物品２〜５を移動している。
物品２〜５は例えば仕掛かりの製品であり、相互に大きさが異なる場合がある。【００１３】
タグ６〜９は物品２〜５に貼り付けられ、物品２〜５に関する固有の情報（例えば、物品の識別情報）等を保持するとともに、リーダーライター装置であるＲＷ装置１０〜１２と無線通信を実施する機能を備えている。また、タグ６〜９は移動に伴って偏波の方向を切り替える機能を備えている。【００１４】
ＲＷ装置１０〜１２は台座１が物品２〜５を移動する方向に沿って一次元的に並べられており、かつ、ＲＷ装置１０の通信エリア１３とＲＷ装置１１の通信エリア１４とが一部重なり、ＲＷ装置１１の通信エリア１４とＲＷ装置１２の通信エリア１５とが一部重なるように配置されている。また、ＲＷ装置１０〜１２はタグ６〜９と無線通信を実施して、タグ６〜９に保持されている情報の読み書きを行うが、ＲＷ装置１０，１２の偏波はＶ偏波に設定され、ＲＷ装置１１の偏波はＨ偏波に設定されている。即ち、隣り合うＲＷ装置の偏波が直交するように設定されている。【００１５】
図２はこの発明の実施の形態１による無線タグ通信システムのタグを示す構成図である。
図において、ダイポールアンテナ２１はＩＣ２３により励振可能状態に設定されているとき、ＲＷ装置１０又はＲＷ装置１２の通信エリア１３，１５内に存在すれば励振する。ダイポールアンテナ２１が励振しているときは、図１では上方向の矢印“↑”がタグの内部に記述されている。【００１６】
ダイポールアンテナ２２はＩＣ２３により励振可能状態に設定されているとき、ＲＷ装置１１の通信エリア１４内に存在すれば励振する。ダイポールアンテナ２２が励振しているときは、図１では右方向の矢印“→”がタグの内部に記述されている。【００１７】
ＩＣ２３はＲＷ装置１０〜１２から切替要求信号を受信すると、励振可能状態にあるダイポールアンテナ２１，２２の切替処理を実施する。即ち、現在、励振可能状態にあるダイポールアンテナがダイポールアンテナ２１であれば、ダイポールアンテナ２２を励振可能状態に設定し、励振可能状態にあるダイポールアンテナがダイポールアンテナ２２であれば、ダイポールアンテナ２１を励振可能状態に設定する。
また、ＩＣ２３は物品２〜５に関する固有の情報等を保持するメモリを内蔵し、また、ダイポールアンテナ２１，２２がＲＷ装置１０〜１２から送信された高周波信号である呼び掛け信号を受信すると、その呼び掛け信号を整流して駆動用の電力に変換し、その電力を蓄積する整流部などを内蔵している。【００１８】
次に動作について説明する。
例えば、製造ラインにおいては、台座１上に設置された物品２〜５が移動しながら工程が加えられる。
物品２〜５に貼り付けられているタグ６〜９には、物品２〜５に関する固有情報として、物品２〜５のこれまでの工程に関する情報、これからの工程に関する情報、試験結果などが保持されている。通信エリア１３〜１５は新たに加えられる工程の作業エリアに対応している。【００１９】
また、タグ６〜９には、通信エリア１３〜１５で追加される工程の情報が保持されており、それに従って工程が追加される。通信エリア１３〜１５で追加された工程や、そこで行われた試験結果などの情報が逐次タグ６〜９に記録される。
さらに、タグ６〜９に保持されている情報を必要に応じて読み出すことにより、工程の全体が管理される。【００２０】
製造ラインにおいて、すべての物品２〜５をリアルタイムで管理する場合、物品２〜５に貼り付けられているタグ６〜９とＲＷ装置１０〜１２が切れ間なく情報のやりとりを行う必要がある。
そのため、ＲＷ装置１０の通信エリア１３とＲＷ装置１１の通信エリア１４がオーバーラップされ、ＲＷ装置１１の通信エリア１４とＲＷ装置１２の通信エリア１５がオーバーラップされている。【００２１】
また、物品２〜５の大きさが異なるため、ＲＷ装置１０〜１２とタグ６〜９はある程度離れている必要があり、タグ６〜９は、近接しているＲＷ装置１０〜１２と無線通信を実施する。
例えば、タグ６，７はＲＷ装置１０と無線通信を実施し、タグ８，９はＲＷ装置１１と無線通信を実施する。【００２２】
この際、タグ６は、ＲＷ装置１０の通信エリア１３内にのみ存在し、また、タグ８，９は、ＲＷ装置１１の通信エリア１４内にのみ存在しているため、他のＲＷ装置による信号の混信は発生しない。
しかし、タグ７は、ＲＷ装置１０の通信エリア１３とＲＷ装置１１の通信エリア１４とのオーバーラップしている領域に存在しているため、タグ７がＲＷ装置１０と無線通信を実施しているとき、ＲＷ装置１１が信号送信すると、その信号がＲＷ装置１０から送信された信号と混信する可能性がある。
この実施の形態１では、このような信号の混信を次のようにして防止している。【００２３】
例えば、物品３に貼り付けられているタグ７は、ＲＷ装置１０の通信エリア１３内に移動したとき、ダイポールアンテナ２１が励振可能状態（Ｖ偏波の状態）に設定されていれば、ダイポールアンテナ２１がＲＷ装置１０から送信された高周波信号である呼び掛け信号を受信する。ここで、呼び掛け信号は、ＲＷ装置が自己の通信エリア内に存在しているタグを検出するために送信する信号であり、また、そのようなタグが電力の蓄積に利用するための信号である。【００２４】
タグ７のＩＣ２３に内蔵されている整流部は、ダイポールアンテナ２１がＲＷ装置１０から送信された呼び掛け信号を受信すると、その呼び掛け信号を整流して駆動用の電力に変換し、その電力を蓄積する。
これにより、タグ７のＩＣ２３は、以降、その電力を利用して動作することが可能になる。
タグ７のＩＣ２３は、ダイポールアンテナ２１を介して、呼び掛け信号に対する応答信号をＲＷ装置１０に送信する。【００２５】
タグ７のＩＣ２３は、その後、ダイポールアンテナ２１がＲＷ装置１０から送信された情報読み出し要求信号を受信すると、ダイポールアンテナ２１を介して、メモリに保持されている情報をＲＷ装置１０に送信する。
また、タグ７のＩＣ２３は、ダイポールアンテナ２１がＲＷ装置１０から送信された情報書換要求信号を受信すると、その情報書換要求信号にしたがって、メモリに保持している情報の書き換えを行う。【００２６】
また、タグ７のＩＣ２３は、ダイポールアンテナ２１がＲＷ装置１０から送信された情報書込み要求信号を受信すると、その情報書込み要求信号にしたがって、新たな情報をメモリに保存する。
タグ７は、上記のようにして、ＲＷ装置１０と無線通信を実施するが、ダイポールアンテナ２１が励振可能状態（Ｖ偏波の状態）に設定されており、ダイポールアンテナ２２が励振可能状態（Ｈ偏波の状態）に設定されていないので、ＲＷ装置１０との通信中に、ＲＷ装置１１から信号を送信されても、信号の混信が発生することはない。【００２７】
ＲＷ装置１０は、タグ７に対する所望の処理が終了すると、偏波方向の切替を指示する切替要求信号を送信する。
タグ７のＩＣ２３は、ダイポールアンテナ２１がＲＷ装置１０から送信された切替要求信号を受信すると、励振可能状態にあるダイポールアンテナを、ダイポールアンテナ２１からダイポールアンテナ２２に切り替える処理を実施する（Ｈ偏波の状態に設定する）。【００２８】
これにより、以後、タグ７は、ＲＷ装置１０との無線通信が不可になるが、ＲＷ装置１１との無線通信が可能になる。
ＲＷ装置１１が呼び掛け信号を送信すると、タグ７のダイポールアンテナ２２がその呼び掛け信号を受信する。【００２９】
タグ７のＩＣ２３に内蔵されている整流部は、ダイポールアンテナ２２がＲＷ装置１１から送信された呼び掛け信号を受信すると、その呼び掛け信号を整流して駆動用の電力に変換し、その電力を蓄積する。
タグ７のＩＣ２３は、ダイポールアンテナ２２を介して、呼び掛け信号に対する応答信号をＲＷ装置１１に送信する。【００３０】
タグ７のＩＣ２３は、その後、ダイポールアンテナ２２がＲＷ装置１１から送信された情報読み出し要求信号を受信すると、ダイポールアンテナ２２を介して、メモリに保持されている情報をＲＷ装置１１に送信する。
また、タグ７のＩＣ２３は、ダイポールアンテナ２２がＲＷ装置１１から送信された情報書換要求信号を受信すると、その情報書換要求信号にしたがって、メモリに保持している情報の書き換えを行う。【００３１】
また、タグ７のＩＣ２３は、ダイポールアンテナ２２がＲＷ装置１１から送信された情報書込み要求信号を受信すると、その情報書込み要求信号にしたがって、新たな情報をメモリに保存する。
タグ７は、上記のようにして、ＲＷ装置１１と無線通信を実施するが、ダイポールアンテナ２２が励振可能状態に設定されており、ダイポールアンテナ２１が励振可能状態に設定されていないので、ＲＷ装置１１との通信中に、ＲＷ装置１０から信号を送信されても、信号の混信が発生することはない。【００３２】
以上で明らかなように、この実施の形態１によれば、隣り合うＲＷ装置の通信エリアが一部重なるように、複数台のＲＷ装置を設置する場合、隣り合うＲＷ装置の偏波を直交させるとともに、移動に伴ってタグが偏波の方向を切り替えるように構成したので、通信エリアを拡大しても、信号の混信を防止することができる効果を奏する。【００３３】
なお、タグ７のＩＣ２３が例えばＲＷ装置１０から切替要求信号を受信すると、励振可能状態にあるダイポールアンテナを切り替える前に、ダイポールアンテナ２１を介して、ダイポールアンテナの切替処理を実施する旨を示す切替確認信号をＲＷ装置１０に送信するようにしてもよい。
この場合、ＲＷ装置１０は、励振可能状態にあるダイポールアンテナが切り替えられることを認識することができる。
また、ＲＷ装置１０がタグ７のダイポールアンテナが切り替えられることをＲＷ装置１１に通知するようにすれば（例えば、ＲＷ装置１０とＲＷ装置１１間の張られている有線回線や無線回線を介して通知）、ＲＷ装置１１が、タグ７と通信可能であることを認識することができる。【００３４】
また、タグ７のＩＣ２３が例えばＲＷ装置１０から切替要求信号を受信すると、励振可能状態にあるダイポールアンテナを切り替えた後に、ダイポールアンテナ２２を介して、ダイポールアンテナの切替処理を実施した旨を示す切替確認信号をＲＷ装置１１に送信するようにしてもよい。
この場合、ＲＷ装置１１が当該切替確認信号をＲＷ装置１０に転送すれば、ＲＷ装置１０が、励振可能状態にあるダイポールアンテナが切り替えられたことを認識することができる。
また、ＲＷ装置１１は、タグ７と通信可能であることを認識することができる。【００３５】
なお、この実施の形態１では、タグ６〜９とＲＷ装置１０〜１２の偏波が直線偏波であるものについて示したが、ＲＷ装置１０〜１２とタグ６〜９の偏波が円偏波や楕円偏波であっても直交する２つの偏波を用いれば、同様の効果を奏することができる。【００３６】
また、この実施の形態１では、タグ６〜９とＲＷ装置１０〜１２の間の干渉について説明したが、隣り合うＲＷ装置の偏波が直交しているので、ＲＷ装置１０〜１２同士の干渉も低減することができる。
例えば、ＲＷ装置１０の偏波がＶ偏波であるのに対して、ＲＷ装置１１の偏波がＨ偏波であるため、ＲＷ装置１０にはＲＷ装置１１からの信号が混信しない。ＲＷ装置１２はＲＷ装置１０と同じＶ偏波を使用しているが、距離が離れているため、その影響が小さく問題にならない。【００３７】
実施の形態２．
図３はこの発明の実施の形態２による無線タグ通信システムを示す構成図である。
図において、図１と同一符号は同一または相当部分を示すので説明を省略する。【００３８】
台座３１は例えば製造ライン上に設置され、タグ３６〜３９が貼り付けられている物品３２〜３５を一次元的に移動する。図３の例では、右方向に物品３２〜３５を移動している。
物品３２〜３５は例えば仕掛かりの製品であり、相互に大きさが異なる場合がある。【００３９】
タグ３６〜３９は物品３２〜３５に貼り付けられ、物品３２〜３５に関する固有の情報（例えば、物品の識別情報）等を保持するとともに、ＲＷ装置４０〜４２と無線通信を実施する機能を備えている。また、タグ３６〜３９は移動に伴って偏波の方向を切り替える機能を備えている。【００４０】
ＲＷ装置４０〜４２は台座３１が物品３２〜３５を移動する方向に沿って一次元的に並べられており、かつ、ＲＷ装置４０の通信エリア４３とＲＷ装置４１の通信エリア４４とが一部重なり、ＲＷ装置４１の通信エリア４４とＲＷ装置４２の通信エリア４５とが一部重なるように配置されている。また、ＲＷ装置４０〜４２はタグ３６〜３９と無線通信を実施して、タグ３６〜３９に保持されている情報の読み書きを行うが、ＲＷ装置４０，４２の偏波はＨ偏波に設定され、ＲＷ装置４１の偏波はＶ偏波に設定されている。即ち、隣り合うＲＷ装置の偏波が直交するように設定されている。また、ＲＷ装置４０〜４２の偏波は、隣り合う列で、向い合うＲＷ装置１０〜１２の偏波と直交するように設定されている。【００４１】
次に動作について説明する。
図３に示すように、２本の製造ラインが平行に設置された場合、そこに用いられるＲＷ装置１０〜１２と、ＲＷ装置４０〜４２が向い合せに設置される。【００４２】
ＲＷ装置１０〜１２とＲＷ装置４０〜４２の放射パターンは、通常、正面方向が最大になる指向性を有するため、互いに向い合うＲＷ装置同士が干渉する。
即ち、ＲＷ装置１０とＲＷ装置４０が干渉し、ＲＷ装置１１とＲＷ装置４１が干渉し、ＲＷ装置１２とＲＷ装置４２が干渉する。
しかし、この実施の形態２では、互いに向い合うＲＷ装置同士の偏波を直交させているので、この干渉を低減することができる。【００４３】
実施の形態３．
図４はこの発明の実施の形態３による無線タグ通信システムを示す構成図である。
図において、通信エリア５１〜５４は偏波が偏波（Ａ）に設定されているＲＷ装置の通信エリアであり、通信エリア６１〜６４は偏波が偏波（Ａ）と直交している偏波（Ｂ）に設定されているＲＷ装置の通信エリアである。【００４４】
この実施の形態３では、上記実施の形態１の物品の移動を２次元に拡張したものである。工場内において、地上を移動する物品の物流管理を想定しているものである。
通信エリア５１〜５４，６１〜６４は、天井などに設置されている図示されていない複数のＲＷ装置の地上における通信エリアを表している。異なる符号の通信エリアは、異なるＲＷ装置の通信エリアである。【００４５】
ＲＷ装置は、偏波が偏波（Ａ）であるものと、偏波（Ｂ）のものがあり、通信エリア５１〜５４に対応するＲＷ装置の偏波が偏波（Ａ）、通信エリア６１〜６４に対応するＲＷ装置の偏波が偏波（Ｂ）である。
地上を隙間なく、通信エリアでカバーするためには、互いの通信エリアをオーバーラップさせる必要がある。
この場合、オーバーラップされているエリアでは、上記実施の形態１の場合と同様に、信号の混信が発生する可能性がある。【００４６】
しかし、この実施の形態３では、偏波（Ａ）のエリア同士、または、偏波（Ｂ）のエリア同士は、オーバーラップしないように通信エリア５１〜５４，６１〜６４を配置しているので、信号の混信を防止することができる。【００４７】
図４の例では、通信エリア５１〜５４は、正方形状に配置され、かつ、互いのエリアがオーバーラップしないように配置されている。
通信エリア６１〜６４も、正方形状に配置され、かつ、互いのエリアがオーバーラップしないように配置されている。
そして、偏波（Ａ）のエリアと偏波（Ｂ）のエリアは、正方形の対角線の半分の距離だけ、対角線方向に移動している。
ここでは、偏波は特に指定しないが、直交する２つの偏波を用いればよい。【００４８】
以上で明らかなように、この実施の形態３によれば、複数台のＲＷ装置が二次元的に配列されている場合、隣り合うＲＷ装置の偏波を直交させているので、複数台のＲＷ装置を二次元的に配列しても、信号の混信を防止することができる効果を奏する。【００４９】
実施の形態４．
図５はこの発明の実施の形態４による無線タグ通信システムのタグを示す構成図である。
図において、図２と同一符号は同一または相当部分を示すので説明を省略する。【００５０】
通信処理部２４はＩＣ２６の指示の下、Ｖ偏波のダイポールアンテナ２１を介して、ＲＷ装置１０（またはＲＷ装置１２）から送信される信号を受信する一方、信号をＲＷ装置１０（またはＲＷ装置１２）に送信する。
通信処理部２５はＩＣ２６の指示の下、Ｈ偏波のダイポールアンテナ２２を介して、ＲＷ装置１１から送信される信号を受信する一方、信号をＲＷ装置１１に送信する。【００５１】
ＩＣ２６は通信処理部２４，２５の処理内容を制御する。また、ＩＣ２６は物品２〜５に関する固有の情報等を保持するメモリを内蔵し、また、ダイポールアンテナ２１，２２がＲＷ装置１０〜１２から送信された高周波信号である呼び掛け信号を受信すると、その呼び掛け信号を整流して駆動用の電力に変換し、その電力を蓄積する整流部などを内蔵している。【００５２】
上記実施の形態１〜３では、移動に伴ってタグが偏波の方向を切り替えるものについて示したが、タグが直交している２つの偏波を同時に処理するようにしている。
具体的には下記の通りである。【００５３】
例えば、物品３に貼り付けられているタグ７は、ＲＷ装置１０の通信エリア１３と、ＲＷ装置１１の通信エリア１４とがオーバーラップしている領域に存在している。
したがって、Ｖ偏波の状態に設定されているタグ７のダイポールアンテナ２１は励振可能な状態にあり、また、Ｈ偏波の状態に設定されているタグ７のダイポールアンテナ２２は励振可能な状態にある。【００５４】
このため、ＲＷ装置１０が呼び掛け信号を送信すると、タグ７のダイポールアンテナ２１がその呼び掛け信号を受信する。
タグ７のＩＣ２６に内蔵されている整流部は、ダイポールアンテナ２１がＲＷ装置１０から送信された呼び掛け信号を受信すると、その呼び掛け信号を整流して駆動用の電力に変換し、その電力を蓄積する。
タグ７のＩＣ２６は、ダイポールアンテナ２１を介して、呼び掛け信号に対する応答信号をＲＷ装置１０に送信する。【００５５】
一方、ＲＷ装置１１が呼び掛け信号を送信すると、タグ７のダイポールアンテナ２２がその呼び掛け信号を受信する。
タグ７のＩＣ２６に内蔵されている整流部は、ダイポールアンテナ２２がＲＷ装置１１から送信された呼び掛け信号を受信すると、その呼び掛け信号を整流して駆動用の電力に変換し、その電力を蓄積する。
タグ７のＩＣ２６は、ダイポールアンテナ２２を介して、呼び掛け信号に対する応答信号をＲＷ装置１１に送信する。【００５６】
これにより、以後、タグ７とＲＷ装置１０間の無線通信が可能になり、タグ７とＲＷ装置１１間の無線通信が可能になるが、ＲＷ装置１０との無線通信は、ダイポールアンテナ２１及び通信処理部２４からなる処理系が実施する。また、ＲＷ装置１１との無線通信は、ダイポールアンテナ２２及び通信処理部２５からなる処理系が実施する。【００５７】
このように、別個独立の２つの処理系が、他の処理系に影響されずに、対応しているＲＷ装置と無線通信を実施することができるので、隣り合うＲＷ装置の通信エリアが一部重なる場合でも、信号の混信を防止することができる効果を奏する。【００５８】
なお、この実施の形態４では、上記実施の形態１〜３よりも、オーバーラップしている領域を大きくとり、その領域での高速通信を実現することも可能である。
即ち、Ｖ偏波とＨ偏波で独立した通信が可能であるため、それぞれの偏波を単独で用いる場合よりも、２倍の通信速度が得られる。
【産業上の利用可能性】
【００５９】
以上のように、この発明に係る無線タグ通信システムは、隣り合うＲＷ装置の通信エリアが一部重なるように、複数台のＲＷ装置を設置することにより、タグの通信エリアを拡大する必要があるものに適している。
【図１】
2006011187.tif 000002
【図２】
2006011187.tif 000003
【図３】
2006011187.tif 000004
【図４】
2006011187.tif 000005
【図５】
2006011187.tif 000006
【国際調査報告】
2006011187.tif 000007
2006011187.tif 000008
2006011187.tif 000009